(57)【要約】【課題】ズボン脚部が着用者の足裏と後ろが開いた靴の踏み面との間に取り込まれるのを防止する。【解決手段】ズボン脚部が着用者の足裏と後ろが開いた靴の踏み面との間に取り込まれるのを防止するための器具は、細長い部材及び取付け部材を含む。細長い部材は、細長い部材がズボン脚部から突き出さないように、ズボン脚部内に配置されるように構成されている。細長い部材を、細長い部材がズボン脚部の下側より下方に延びないようにズボン脚部の下側に配置し、細長い部材をズボン脚部の下側に対して概ね垂直であるように方向付けて、ズボン脚部に連結させる。【選択図】図１
2009127183.tif 000002
【特許請求の範囲】
【請求項１】
ズボン脚部が着用者の足裏と後ろが開いた靴の踏み面との間に取り込まれるのを防止するための器具であって、細長い部材と取付け部材とを含み、前記細長い部材は、前記細長い部材が前記ズボン脚部から突き出さずに前記ズボン脚部内に配置されるように構成された器具。
【請求項２】
前記細長い部材が平面状である請求項１の器具。
【請求項３】
前記細長い部材が、少なくとも一端部内に穴を有し、及び前記取付け部材が、少なくとも１本のピンと少なくとも１つの留め具とを含み、前記ピンが、ヘッドと前記細長い部材内の前記穴を通過するようにされた先細端部とを有し、前記留め具が、前記ピンの前記先細端部を受け入れるようにされている請求項１の器具。
【請求項４】
前記ピンの前記ヘッドが飾られている請求項３の器具。
【請求項５】
少なくとも第二のピンと少なくとも第二の留め具とを更に含む請求項３の器具。
【請求項６】
前記取付け部材が、前記細長い部材を前記ズボン脚部に取り付ける糸を含む請求項１の器具。
【請求項７】
前記取付け部材が、前記ズボン脚部に縫い付けられたポケットを含む請求項１の器具。
【請求項８】
前記取付け部材がベルクロを含む請求項１の器具。
【請求項９】
前記取付け部材が接着剤を含む請求項１の器具。
【請求項１０】
ズボン脚部が着用者の足裏と後ろが開いた靴の踏み面との間に取り込まれるのを防止する方法であって：
細長い部材をズボン脚部の下部に位置付けて、前記細長い部材が前記ズボン脚部の前記下部より下方に延びないようにし、
前記細長い部材が前記ズボン脚部の前記下部に対して概ね垂直になるように、前記細長い部材を方向付けて、
前記細長い部材を前記ズボン脚部に連結する工程を含む方法。
【請求項１１】
前記細長い部材が、前記ズボン脚部の前記下端部から離れている請求項１０の方法。
【請求項１２】
前記細長い部材が、前記ズボン脚部に直接当てて位置付けられる請求項１０の方法。
【請求項１３】
前記細長い部材が、取外し可能に前記ズボン脚部に連結される請求項１０の方法。
【請求項１４】
前記細長い部材が、少なくとも１本のピンによって、取外し可能に前記ズボン脚部に連結される請求項１０の方法。
【請求項１５】
少なくとも第二のピンによって、前記細長い部材を取外し可能に前記ズボンに連結することを更に含む請求項１４の方法。
【請求項１６】
前記細長い部材が、前記ズボン脚部の前記下部に位置付けられる前に、方向付けられる請求項１０の方法。
【請求項１７】
第二の細長い部材を前記ズボン脚部に位置付け、方向付け、連結することを更に含む請求項１０の方法。
【発明の詳細な説明】
【技術分野】
【０００１】
本発明は、ズボン脚部の美しさを改善するための器具及び方法に関するものであり、より具体的には、幾つかの実施形態において、ズボン脚部が後ろの開いた靴の踏み面と着用者の足裏との間に取り込まれるのを防止するための器具及び方法に関する。
【背景技術】
【０００２】
様々なタイプの履き物が後ろが開いている、すなわち、かかとの覆いが無い。これらには、例えば、サンダル、かかと部の無い着脱容易な靴、突っかけなどが挙げられる。後ろが開いた靴のヒール高さは様々で、約１／４インチから６インチ以上の範囲にわたる。
【発明の開示】
【発明が解決しようとする課題】
【０００３】
本明細書で開示される実施形態の少なくとも１つの態様には、後が開いた靴を履いて、普通に立った姿勢の着用者のかかと下部を越えて延びるズボンを着用する時、ズボン脚部の下側が着用者の足裏と後ろが開いた靴の踏み面との間に取り込まれることがあるという認識が含まれる。このことは、着用者にとって不快であり、かつ見苦しい。
【課題を解決するための手段】
【０００４】
したがって、本明細書で開示される実施形態の少なくとも１つに従えば、ズボン脚部が着用者の足裏と後ろが開いた靴の踏み面との間に取り込まれることを防止するための器具は、細長い部材と１つ以上の取付け部材とを含む。細長い部材は、細長い部材がズボン脚部から突き出さないようにズボン脚部内に配置されるように構成することができる。
【０００５】
ズボン脚部が着用者の足裏と後ろが開いた靴の踏み面との間に取り込まれることを防止するための方法は、一実施態様では、細長い部材をズボン脚部の下側に位置付けて、細長い部材がズボン脚部の下側より下方に延びないようにする工程と、細長い部材がズボン脚部の下側に対して概ね垂直になるように細長い部材を方向付け、細長い部材をズボン脚部に連結することとを含む。
【０００６】
これらの実施態様の全ては、本明細書にて開示される本発明の範囲内であるように意図されている。本発明のこれら及び他の実施態様は、添付図を参照する好ましい実施形態の次の詳細説明から、当業者には容易に明らかになるであろうが、本発明は、開示されるいかなる特定の好ましい実施形態にも限定されない。
【発明を実施するための最良の形態】
【０００７】
本明細書にて開示される本発明の上記及び他の特徴が、好ましい実施形態の図面を参照して、以下で説明される。示されている実施形態は、本発明を例示することを意図されているのであって、限定するものではない。
【０００８】
図１は、靴１２を履いている足１０と靴１２の踏み面１６より下方に延びるズボン脚部１４を示す。着用者が歩くにつれて、ズボン脚部１４が、足１０と靴１２の踏み面１６との間に取り込まれる場合がある。ズボン脚部１４が足１０と靴１２の踏み面１６との間に取り込まれるのを防止するために、器具２０をズボン脚部１４に取り付ける。器具２０は、図１に概略的に示されるように、細長い部材２２と取付け部材２４とを含む。細長い部材２２は、器具２０がズボン脚部１４に取り付けられた領域で、ズボン脚部を直線形状に維持することができるので、ズボン脚部１４は足１０と靴１２の踏み面１６との間に取り込まれない。
【０００９】
一実施形態では、図２に示されるように、細長い部材２２は、バー２６を含み、取付け部材２４は、ピン２８と留め具３０を含む。バー２６は、バー２６の第一の端部３４に穴３２を設けている。バー２６は、木材、プラスチック、金属などのような剛性材料で作成可能である。細長い部材を長く、狭く、薄いものにして、器具２０がバー２６と共にズボン脚部１４の内部に取り付けられた時に、ズボン脚部１４の外部からバーが視認される可能性を少なくする。例えば、細長い部材は、２〜８インチの長さ、約１／２インチ〜約２インチの幅、及び約１／４インチ未満の厚さにすることができる。一実施形態では、細長い部材は、８インチの長さ、１インチの幅、１／８インチの厚さであってもよい。
【００１０】
図２を参照して、ピン２８は、ヘッド３６を有し、かつとそのヘッド３６の反対側にシャフト３８を有する。幾つかの実施形態では、シャフト３８は先細端部を有する。ピン２８は、ズボン脚部１４とバー２６の穴３２とを貫いて配置される。幾つかの実施形態では、ピン２８のヘッド３６は、ズボン脚部の外側に配置される。あるいは、ピン２８のヘッド３６は、ヘッド３６をズボン脚部１４の内側にして、配置させることもできる。バー２６は、好ましくは、バー２６の視認性が低減するように、ズボン脚部１４の内側に配置される。あるいは、バー２６を、ズボン脚部１４の外側に配置することもできる。
【００１１】
留め具３０は、ピン２８がズボン脚部１４から抜けるのを防止するように、ピン２８のシャフト３８の端部を受け入れる。幾つかの実施形態では、留め具３０は、図２に示されるように、バー２６とは別の構成要素にすることができる。別の実施形態では、留め具３０はバー２６と一体形成にすることもできる。
【００１２】
一実施形態では、器具２０は、図３に示されるように、図２の実施形態とほぼ同一であるが、バー２６の第二の端部４０に設けた穴３２を貫いて延びる第二のピン２８を更に含んでいる。２つのピン２８によって、バー２６が所望の向きから望まれずに回転又は移動するのを防止することができる。
【００１３】
器具２０を使用すると、ズボン脚部が着用者の足裏と後ろが開いた靴の踏み面との間に取り込まれるのを防止することができる。細長い部材２２は、着用者の足１０の概ね後ろの場所において、ズボン脚部の下側に配置される。細長い部材２２は、好ましくは、細長い部材２２が着用者の足１０と靴１２の踏み面１６との間へ移動するのを防止するために、着用者が立っている時に、細長い部材２２が靴１２の踏み面１６より上の充分に遠い位置から靴１２の踏み面１６より充分に下の位置まで延びるように配置される。
【００１４】
細長い部材２２は、ズボン脚部１４の下側に対して概ね垂直に方向付けてズボン脚部１４に取り付けられる。幾つかの実施形態では、細長い部材２２は、第一の端部３４でズボン脚部１４に取り付けられて、細長い部材が取付け部材２４から下方に垂れるようにする。幾つかの実施形態では、細長い部材２２の重量によって、細長い部材がズボン脚部１４の下端に向かって垂直に垂れ下がる。着用者が歩く、座る、立つ、及び／又は他の活動に従事する時、器具２０は、器具２０がズボン脚部１４に取り付けられた場所で、ズボン脚部１４をほぼ真直ぐに垂れるように維持する。このようにして、器具２０は、ズボン１４が着用者の足と後ろが開いた靴の踏み面との間に取り込まれるのを防止することができる。
【００１５】
ある好ましい実施形態では、器具２０は、ズボン脚部が着用者の足裏と後ろが開いた靴の踏み面との間に取り込まれることを目立たないように防止して、ズボン脚部が着用者の足と靴の間に取り込まれた時に存在する見苦しい状態を予防し、かつ、その器具の可視性又は出現による別の見苦しい状態の創出をも回避する。このようにして、幾つかの実施形態では、細長い部材は、好ましくは、ズボン脚部１４の内側に配置され、ズボン脚部１４の下部より下方に延びることがないので、ズボンが着用された時に、細長い部材を見えないようにしている。
【００１６】
それに加えて又は代わりに、幾つかの実施形態では、ピン２８のヘッド３６又は留め具３０を布地で覆って器具２０をより見つけにくいようにすることができ、一方、他の実施形態では、ヘッド３６又は留め具３０を美しく飾ることができる。例えば、ヘッド３６又は留め具３０を金属的な光沢にしたり、着色、パターン化、宝石で飾ったり、他の飾りやこれらや他の装飾の組合せを含むことができる。ヘッド３６と留め具３０は、球形、円板形、又は他の形状にすることができる。
【００１７】
幾つかの実施形態では、取付け部材２４は、図４に示されるように、細長い部材２２をズボン脚部１４に取り付ける糸４２を含んでいる。別の実施形態では、取付け部材２４は、図５に示されるように、布片をズボン脚部１４に縫い付けることにより形成されたポケット４４を含む。そうすると、細長い部材２２をポケット４４に滑り込ませることができ、ユーザーが望む時に、取り出して交換することができる。
【００１８】
更なる代替実施形態では、取付け部材２４は、ベルクロ（Velcro：登録商標）、ある種の接着剤、又は磁石などの他の取外し可能な取付方法を含んでもよい。更に別の実施形態では、細長い部材２２は、取り外しできない取付け部材２４によって、ズボン脚部に取付けるようにしてもよい。
【００１９】
本発明は、好ましい実施形態及び実施例の文脈で開示されたが、明確に開示された実施形態を越えて、本発明の他の代替実施形態並びに／又は使用及びその明らかな変更及び等価物の使用にまで及ぶことを、当業者は理解するであろう。加えて、本発明の幾つかの変更形態が示されて詳細に説明されたが、この開示に基づいて、本発明の範囲内にある他の変更形態が、当業者には容易に明らかとなろう。また、実施形態の特定の特徴及び態様の様々な組合せ又は部分的な組合せがなされてもよく、それらは依然として本発明の範囲内に入ると考えられている。開示された実施形態の様々な特徴及び態様を相互に組み合せて又は置き換えて、開示された発明の種々の形態を形成できることを理解されたい。したがって、本明細書に記述された本発明の少なくとも幾つかの実施形態の範囲は、上で説明されている特定の開示された実施形態により限定されるべきではないと言える。
【図面の簡単な説明】
【００２０】
【図１】ズボン脚部の下側に取付けられた一実施形態の略図である。
【図２】一実施形態によるズボン脚部の器具である。
【図３】一実施形態によるズボン脚部の器具である。
【図４】一実施形態によるズボン脚部の器具である。
【図５】一実施形態によるズボン脚部の器具である。
【符号の説明】
【００２１】
１０…足、１２…靴、１４…ズボン脚部、１６…踏み面、２０…器具、２２…細長い部材、２４…取り付け部材
【図１】
2009127183.tif 000003
【図２】
2009127183.tif 000004
【図３】
2009127183.tif 000005
【図４】
2009127183.tif 000006
【図５】
2009127183.tif 000007